(57)【要約】【課題】故障の防止と不要な主電源シャットダウンの回避との両立が困難であった。【解決手段】サステイン電圧Ｖsus生成回路５２、アドレス電圧Ｖadd生成回路５３、スタンバイ電圧生成回路５４から出力される各種電圧をマイコン６０の各Ａ／Ｄ入力ポート１〜６から入力し、入力した各電圧について異常値であるか否かの検査を行い、異常値である場合には主電源をオフおよびオンして再度検査を行い、ある電圧についての異常値の検知回数が予め設定した異常検知回数Ｎに達した場合に、以後、主電源のオフ状態を維持するとした。また、サステイン電圧Ｖsusおよびアドレス電圧Ｖaddについては、異常検知回数Ｎを少なく設定し、検査用電圧Ｖsamp、第１消去電圧Ｖset、第２消去電圧Ｖe、スキャン電圧Ｖscanについては、サステイン電圧Ｖsusおよびアドレス電圧Ｖaddよりも異常検知回数Ｎを多い回数に設定した。【選択図】図４
2007174508.tif 000002
【特許請求の範囲】
【請求項１】
検査対象回路に誤動作が生じたと判断した場合に主電源をオフ状態とする処理を実行するプラズマテレビジョンにおいて、
交流電圧を入力し直流電圧を生成する整流回路と、
上記直流電圧を内蔵するトランスの１次側の巻線に入力し、２次側の巻線においてアドレス電圧を生成してプラズマディスプレイパネルに出力するアドレス電圧生成回路と、
上記直流電圧を内蔵するトランスの１次側の巻線に入力し、２次側の巻線における巻き出し位置がそれぞれ異なる導線から電圧レベルの異なるサステイン電圧と所定の検査用電圧とを導出して当該サステイン電圧をプラズマディスプレイパネルに出力するとともに検査用電圧を外部に出力するサステイン電圧生成回路と、
上記直流電圧を内蔵するトランスの１次側の巻線に入力し、２次側の巻線における巻き出し位置がそれぞれ異なる導線から電圧レベルの異なる第一の消去電圧と第二の消去電圧とスキャン電圧とを導出してプラズマディスプレイパネルに出力するスタンバイ電圧生成回路と、
上記整流回路の前段に設けられ、整流回路への交流電圧の供給と遮断とを切り替えることにより主電源のオン・オフを切り替えるリレー回路と、
上記アドレス電圧とサステイン電圧と検査用電圧と第一の消去電圧と第二の消去電圧とスキャン電圧とをそれぞれ個別に入力する複数のＡ／Ｄ入力ポートを備え、かつ、各Ａ／Ｄ入力ポートから入力した各電圧が異常値であるか否か検知していずれかの電圧について異常値と判断した場合に、上記リレー回路を制御して主電源をオフ状態に切り替えさせ、１〜２秒経過後に主電源を再度オン状態にさせるマイコンとを備え、
上記マイコンは、各Ａ／Ｄ入力ポートにて入力する電圧毎に設定した、対応する回路に誤動作が生じていると判断するための異常値検知回数を予め記憶しているとともに、アドレス電圧またはサステイン電圧のいずれかについての異常値の検知回数が２回に達したと判断した場合、あるいは検査用電圧または第一の消去電圧または第二の消去電圧またはスキャン電圧のいずれかについての異常値の検知回数が３回に達したと判断した場合には、上記リレー回路に主電源をオフ状態とさせた後に再度オン状態に切り替えることを禁止する制御を実行し、
かつ、上記アドレス電圧とサステイン電圧と検査用電圧と第一の消去電圧と第二の消去電圧とスキャン電圧とは、それぞれにＡ／Ｄ入力ポートに入力される過程において分圧されて電圧値を低下させた上で入力されることを特徴とするプラズマテレビジョン。
【請求項２】
検査対象部に誤動作が生じたと判断した場合に主電源をオフ状態とする処理を実行する電源制御装置において、
主電源がオン状態となっている場合に各検査対象部からの出力電圧を入力し、各出力電圧が異常値であるか否か検知する検知手段と、
上記検知手段がいずれかの出力電圧について異常値と判断した場合に上記主電源をオフ状態に切り替え、所定時間経過後に主電源を再度オン状態に切り替える電源切替手段と、
上記電源切替手段を制御する切替制御手段であって、上記各出力電圧毎に設定した、対応する検査対象部に誤動作が生じていると判断するための異常値検知回数を予め記憶しているとともに、上記検知手段によって所定の出力電圧について異常値が検知された回数が同所定の出力電圧に対して設定されている上記異常値検知回数に達したと判断した場合、上記電源切替手段が主電源をオフ状態とした後に再度オン状態に切り替えることを禁止する切替制御手段とを備えることを特徴とする電源制御装置。
【請求項３】
上記検知手段は、プラズマディスプレイパネルに供給するための各電源電圧をそれぞれに生成するアドレス電圧生成部とサステイン電圧生成部とスタンバイ電圧生成部とから出力される各出力電圧をそれぞれ入力して各出力電圧が異常値であるか否か検知し、
上記切替制御手段が記憶する異常値検知回数は、アドレス電圧生成部から出力されるアドレス電圧およびサステイン電圧生成部から出力されるサステイン電圧については２回に設定されていることを特徴とする請求項２に記載の電源制御装置。
【請求項４】
上記切替制御手段が記憶する異常値検知回数は、上記スタンバイ電圧生成部から出力される出力電圧とサステイン電圧生成部から出力される出力電圧であって上記サステイン電圧とは別の所定の出力電圧とについては、上記アドレス電圧およびサステイン電圧について設定されている回数よりも多い回数に設定されていることを特徴とする請求項３に記載の電源制御装置。
【請求項５】
上記検知手段は、各検査対象部から出力される各出力電圧をそれぞれ分圧して電圧値を低下させた上で入力することを特徴とする請求項２〜請求項４のいずれかに記載の電源制御装置。
【発明の詳細な説明】
【技術分野】
【０００１】
本発明は、プラズマテレビジョンおよび電源制御装置に関する。
【背景技術】
【０００２】
従来技術として、マイクロコンピュータの主電源回路をオフとする保護動作が所定回数に達した時に主電源回路を再びオンすることを禁止したテレビジョン受像機の保護方法が知られている（特許文献１参照。）。
また、本体にノイズが流入していることを検知するとスイッチ回路をオフする停止機能を所定時間だけ無効にするテレビ受像機が知られている（特許文献２参照。）。
【０００３】
さらに、異常検知信号の継続期間を所定時間間隔で複数回判別し、判別処理が予め設定した回数に達したときに高圧出力回路の出力を停止させる方法が知られている（特許文献３参照。）。
上記の従来技術においては、保護対象の機器に一時的にノイズが流入した場合に、これを誤作動と判断して電源供給を遮断してしまうことを防止している。
【特許文献１】特開平４‐７９５８３号公報
【特許文献２】実登３０８７７９０号公報
【特許文献３】特開平１０‐３２７３７２号公報
【発明の開示】
【発明が解決しようとする課題】
【０００４】
テレビジョン等の機器においては、機器を構成する所定の回路にて誤動作が生じて異常な電圧値が検知される場合には、ディスプレイパネル等に当該電圧値が流入することを防止するために主電源の供給を遮断する必要がある。一方、単なるノイズの流入によって一時的に異常な電圧値が検知される場合には主電源を遮断する必要性は低い。なお、上記検知処理を繰り返し試みることにより、異常電圧値検知の事実が真の誤動作に起因するものか、単なるノイズの流入に起因するものかを正確に判断することができる。
【０００５】
ここで、機器を構成する各回路の中には、その誤動作が上記ディスプレイパネル等の故障の原因となりやすい回路や、誤動作が生じていても上記ディスプレイパネル等を直ちに故障させる原因とならない回路などが混在しており、その誤動作の重大性に差がある。
しかし、上記従来技術においては、主電源を遮断するか否かの判断に際して、機器を構成する各部位毎の誤動作の重大性を考慮していなかった。そのため、真の誤動作か単なるノイズの流入かを見極める余裕があるにもかかわらず性急に電源供給の遮断を決定してしまったり、逆に、仮に真の誤動作である場合の悪影響の大きさを考慮して直ちに電源供給の遮断を決定すべき場面で上記検知処理を繰り返してしまうといった、不適切な処理が起こり得た。
【０００６】
本発明は上記課題に鑑みてなされたもので、誤動作による装置の故障の防止と不必要な電源遮断の回避とを最適なバランスにて実現することの可能なプラズマテレビジョンおよび電源制御装置を提供することを目的とする。
【課題を解決するための手段】
【０００７】
上記目的を達成するために請求項２の発明は、検査対象部に誤動作が生じたと判断した場合に主電源をオフ状態とする処理を実行する電源制御装置において、主電源がオン状態となっている場合に各検査対象部からの出力電圧を入力し、各出力電圧が異常値であるか否か検知する検知手段と、上記検知手段がいずれかの出力電圧について異常値と判断した場合に上記主電源をオフ状態に切り替え、所定時間経過後に主電源を再度オン状態に切り替える電源切替手段と、上記電源切替手段を制御する切替制御手段であって、上記各出力電圧毎に設定した、対応する検査対象部に誤動作が生じていると判断するための異常値検知回数を予め記憶しているとともに、上記検知手段によって所定の出力電圧について異常値が検知された回数が同所定の出力電圧に対して設定されている上記異常値検知回数に達したと判断した場合、上記電源切替手段が主電源をオフ状態とした後に再度オン状態に切り替えることを禁止する切替制御手段とを備える構成としてある。
【０００８】
上記構成においては、異常値を検知すると主電源をオフにし、しばらくして主電源を再度オンにし、また異常値を検知すれば主電源をオフにし、再度主電源をオンにし…、という処理が検知手段と電源切替手段とによって基本的に繰り返される。むろん、異常値が検知されない場合は主電源はオン状態のままである。
ここで、切替制御手段は上記繰り返しの処理を断ち切るタイミングを、異常値と判断された出力電圧がいずれであるかによって変化させている。つまり、切替制御手段は、各出力電圧毎に予め設定してある上記異常値検知回数に基づいて上記タイミングを判断するのであり、検知手段によって所定の出力電圧について異常値が検知された回数が同所定の出力電圧に対して設定されている異常値検知回数に達したと判断した場合に、電源切替手段が主電源をオフ状態とした後に所定時間経過後に再度オン状態に復帰させることを禁止する。
【０００９】
このように本発明によれば、異常値を検知すると主電源をオフにし所定時間経過後に主電源を再度オンにし、その後異常値の検知を再度試みるという処理を繰り返す中で、各検査対象部からの各出力電圧毎に異常検知回数を個別に設定している。そのため、上記処理の繰り返しが適さない性質の出力電圧については早いタイミングで主電源オフの維持を決定することができ、その結果、検査対象部の誤動作を起因とした装置の重大な故障を未然に防ぐことができる。また一方、上記処理の繰り返しがある程度許容される性質の出力電圧については複数回の上記処理の繰り返しによって真の誤動作に起因する異常値かノイズの一時的な流入に起因する異常値かを正確に判断することができ、主電源の遮断維持の決定を誤ることが無くなる。
【００１０】
請求項３の発明においては、上記検知手段は、プラズマディスプレイパネルに供給するための各電源電圧をそれぞれに生成するアドレス電圧生成部とサステイン電圧生成部とスタンバイ電圧生成部とから出力される各出力電圧をそれぞれ入力して各出力電圧が異常値であるか否か検知する。そして、切替制御手段が記憶する異常値検知回数は、アドレス電圧生成部から出力されるアドレス電圧およびサステイン電圧生成部から出力されるサステイン電圧については２回に設定するとしてもよい。
【００１１】
つまり上記構成においては各電圧生成部を検査対象部としている。この場合、仮にアドレス電圧生成部またはサステイン電圧生成部が誤動作を起こすことによってアドレス電圧またはサステイン電圧が異常値を示している場合には、プラズマディスプレイパネルの故障の大きな原因となる。そのため、異常値が誤動作によるものか一時的なノイズによるものかの慎重な判断よりも上記故障の回避を優先し、アドレス電圧およびサステイン電圧については異常検知回数を２回に限定して早めに主電源を遮断するようにしている。
【００１２】
請求項４の発明においては、切替制御手段が記憶する異常値検知回数は、上記スタンバイ電圧生成部から出力される出力電圧と、サステイン電圧生成部から出力される出力電圧であって上記サステイン電圧とは別の所定の出力電圧とについては、上記アドレス電圧およびサステイン電圧について設定されている回数よりも多い回数に設定されている構成としてある。
【００１３】
スタンバイ電圧生成部から出力される出力電圧と、サステイン電圧生成部から出力される出力電圧であって上記サステイン電圧とは別の所定の出力電圧との場合、これが異常値となっている場合であってもプラズマディスプレイパネルを故障させる原因となる可能性は低い。そこで、これら出力電圧については異常値検知回数を多めに設定し、異常値が誤動作によって生じているのか一時的なノイズによるものかを慎重に判断するとしている。その結果、異常値の検知がノイズの一時的な流入によるものであって主電源の供給を止める必要の無い場合に同主電源を止めとしまう、ということを防止できる。
【００１４】
請求項５の発明においては、上記検知手段は、各検査対象部から出力される各出力電圧をそれぞれ分圧して電圧値を低下させた上で入力するとしている。つまり、各検査対象部から出力される電圧値は、例えば１７６Ｖといった高圧であるため、これを５Ｖ以下といった低いレベルにまで下げた上で検知手段に入力させ、検知手段はかかるレベルを落とした各出力電圧について、異常値であるか否か判断する。
【００１５】
上記各構成を踏まえた上で、請求項１にかかる発明は、検査対象回路に誤動作が生じたと判断した場合に主電源をオフ状態とする処理を実行するプラズマテレビジョンにおいて、交流電圧を入力し直流電圧を生成する整流回路と、上記直流電圧を内蔵するトランスの１次側の巻線に入力し、２次側の巻線においてアドレス電圧を生成してプラズマディスプレイパネルに出力するアドレス電圧生成回路と、上記直流電圧を内蔵するトランスの１次側の巻線に入力し、２次側の巻線における巻き出し位置がそれぞれ異なる導線から電圧レベルの異なるサステイン電圧と所定の検査用電圧とを導出して当該サステイン電圧をプラズマディスプレイパネルに出力するとともに検査用電圧を外部に出力するサステイン電圧生成回路と、上記直流電圧を内蔵するトランスの１次側の巻線に入力し、２次側の巻線における巻き出し位置がそれぞれ異なる導線から電圧レベルの異なる第一の消去電圧と第二の消去電圧とスキャン電圧とを導出してプラズマディスプレイパネルに出力するスタンバイ電圧生成回路と、上記整流回路の前段に設けられ、整流回路への交流電圧の供給と遮断とを切り替えることにより主電源のオン・オフを切り替えるリレー回路と、上記アドレス電圧とサステイン電圧と検査用電圧と第一の消去電圧と第二の消去電圧とスキャン電圧とをそれぞれ個別に入力する複数のＡ／Ｄ入力ポートを備え、かつ、各Ａ／Ｄ入力ポートから入力した各電圧が異常値であるか否か検知していずれかの電圧について異常値と判断した場合に、上記リレー回路を制御して主電源をオフ状態に切り替えさせ、１〜２秒経過後に主電源を再度オン状態にさせるマイコンとを備え、上記マイコンは、各Ａ／Ｄ入力ポートにて入力する電圧毎に設定した、対応する回路に誤動作が生じていると判断するための異常値検知回数を予め記憶しているとともに、アドレス電圧またはサステイン電圧のいずれかについての異常値の検知回数が２回に達したと判断した場合、あるいは検査用電圧または第一の消去電圧または第二の消去電圧またはスキャン電圧のいずれかについての異常値の検知回数が３回に達したと判断した場合には、上記リレー回路に主電源をオフ状態とさせた後に再度オン状態に切り替えることを禁止する制御を実行し、かつ、上記アドレス電圧とサステイン電圧と検査用電圧と第一の消去電圧と第二の消去電圧とスキャン電圧とは、それぞれにＡ／Ｄ入力ポートに入力される過程において分圧されて電圧値を低下させた上で入力される構成としてある。
【００１６】
すなわち、プラズマテレビジョンという具体的製品においても、上記請求項２〜請求項５と同様の作用および効果を発揮する。
なお、請求項１〜請求項５に記載した各技術思想は、これらを実現する方法の発明として把握することが可能である。
また、請求項１〜請求項５に記載した処理内容をコンピュータに実行させるプログラムの発明を把握することも可能である。
【発明の効果】
【００１７】
以上説明したように本発明によれば、各検査対象部（回路）から出力された異常値が同検査対象部（回路）の誤動作によるものであるか一時的なノイズの流入によるものであるか判断して誤動作によるものと判断できる場合に主電源の遮断を維持しようとするに際し、各検査対象回路の誤動作と装置の故障との関連性の強さを考慮して同遮断の維持を決定するための異常値検知回数を各出力電圧毎に個別に設定したため、誤動作による装置の故障の防止と不必要な電源遮断の回避とを最適なバランスにて実現することができる。
【発明を実施するための最良の形態】
【００１８】
以下の順序に従って本発明の実施形態を説明する。
（１）プラズマテレビジョンの構成
（２）電源回路等の構成
（３）電源制御処理の内容
（４）まとめ
【００１９】
（１）プラズマテレビジョンの構成
図１は、本発明にかかるプラズマテレビジョンの概略構成をブロック図により示している。
同図において、プラズマテレビジョン１００は、概略、プラズマパネル（以下、ＰＤＰ）４０と映像処理回路２０とチューナ回路１０とマイコン６０とパネル駆動回路３０と電源回路５０とから構成されている。チューナ回路１０はアンテナ１０ａからテレビ電波を入力しており、マイコン６０にて指定された周波数帯域のテレビ電波から映像信号等を抽出する。マイコン６０は、内蔵するＣＰＵとＲＯＭとＲＡＭとからなるプログラム実行環境を備えており、プラズマテレビジョン１００全体の制御を行う。また、その機能の一部として後述する電源制御処理を実行可能である。
【００２０】
映像処理回路２０はチューナ１０から入力された映像信号に基づいてデジタル映像信号を生成する。映像処理回路２０にて生成されたデジタル映像信号は、パネル駆動回路３０に入力され、同パネル駆動回路３０にてＰＤＰ４０の駆動信号が生成される。
以上の構成により、テレビ電波に基づく映像をＰＤＰ４０にて再生することができる。むろん、アンテナ１０ａにて受信したテレビ映像のみならず、ＣＡＴＶによるテレビ映像が再生されてもよいし、ＤＶＤビデオデッキ等の外部機器から入力された映像信号が再生されてもよい。映像処理回路２０が各信号形式に対応していればよく、チューナ回路１０に入力されるテレビ電波はデジタル形式であってもよいし、アナログ形式であってもよい。
【００２１】
電源回路５０は、電源ケーブル５７を介して商用の交流電圧ＡＣを入力するととも、ＰＤＰ４０を駆動させるための電源電圧として、サステイン電圧Ｖsusと、アドレス電圧Ｖaddと、第１消去電圧Ｖsetと、第２消去電圧Ｖeと、スキャン電圧Ｖscanとを生成し、ＰＤＰ４０に対して出力する。なお、電源回路５０は、ＰＤＰ４０以外にも、マイコン６０を始めプラズマテレビジョン１００を構成する各回路に対して必要な電源を供給している。
【００２２】
サステイン電圧Ｖsusとアドレス電圧Ｖaddとは、ＰＤＰ４０に多数備えられるセルにおける維持電極とアドレス電極とにそれぞれ供給され、スキャン電圧Ｖscanは、ＰＤＰ４０に多数備えられるセルにおける走査電極に供給される。本実施形態のＰＤＰ４０では、アドレス電極によって予備放電を行ったセルにおいて、走査電極と維持電極間にパルス電圧を加えることにより、ＰＤＰ４０の表示面方向に放電を起こさせる面放電方式を採用している。また、第１消去電圧Ｖsetと第２消去電圧Ｖe電源とは、セルに残留した電荷を消去するために用いられる。上記各電源電圧は、プラズマテレビジョン１００の起動時において、特定の順序とタイミングでＰＤＰ４０に出力される。
【００２３】
（２）電源回路等の構成
図２は、電源回路５０やマイコン６０等をブロック図により示している。
電源回路５０においては、整流回路５１が交流電圧ＡＣを入力し、この交流電圧ＡＣを所定レベル（例えば、３８５Ｖ）の直流電圧ＤＣに変換する。そして、変換後の直流電圧ＤＣは、サステイン電圧Ｖsus生成回路５２、アドレス電圧Ｖadd生成回路５３、スタンバイ電圧生成回路５４にそれぞれ並列的に出力する。各生成回路５２〜５４はそれぞれに特定の巻き数比となったトランスを内部に備えており、トランスの１次側に直流電圧ＤＣを入力し、トランスの２次側においてそれぞれ所望の電圧レベルとなったサステイン電圧Ｖsus、アドレス電圧Ｖadd、第１消去電圧Ｖset、第２消去電圧Ｖe、スキャン電圧Ｖscanを取り出す。
【００２４】
図３は、サステイン電圧Ｖsus生成回路５２の内部構造を簡略的に示している。
整流ブリッジ（不図示）を備える整流回路５１から出力された直流電圧ＤＣがトランス５２ａの１次側巻き線の一端に入力される。トランス５２ａの２次側巻き線からは、それぞれ巻き出し位置が異なる導線が導出されており、各導線にはそれぞれ異なる値の電圧が出力される。出力電圧が約１７６Ｖに調整された導線から出力される直流電圧は、サステイン電圧Ｖsusであり、かかるサステイン電圧Ｖsusは上述したようにＰＤＰ４０に出力される。
【００２５】
また、出力電圧が所定値（例えば、−０，５Ｖ）に調整された導線からは検査用電圧Ｖsampが出力する。検査用電圧Ｖsampは、整流回路５１から出力される直流電圧ＤＣが上記３８５Ｖのレベルにて安定している場合には、同Ｖsampの値も安定した所定値となるが、直流電圧ＤＣの値が不安定である場合には同Ｖsampの値も不安定となる。つまり、検査用電Ｖsampは整流回路５１の誤動作の有無を判断するための電圧である。検査用電圧ＶsampはＰＤＰ４０に対しては出力されず、後述するようにマイコン６０に対して出力され、そのレベルが正常か否か判断される。
【００２６】
なお、スタンバイ電圧生成回路５４内においても、内蔵するトランスの２次側巻き線においてはそれぞれ巻き出し位置が異なる導線が導出されており、各導線からそれぞれ異なる電位レベルの第１消去電圧Ｖset、第２消去電圧Ｖe、スキャン電圧Ｖscanが取り出され、ＰＤＰ４０に出力される。
【００２７】
図２に戻って説明を続ける。同図に示すように、マイコン６０は、各生成回路５２〜５４から出力された各電圧を入力するための複数のアナログ／デジタル（Ａ／Ｄ）入力ポート１〜６を備えている。本実施形態においては、Ａ／Ｄ入力ポート１は検査用電圧Ｖsampを、Ａ／Ｄ入力ポート２はサステイン電圧Ｖsusを、Ａ／Ｄ入力ポート３はアドレス電圧Ｖaddを、Ａ／Ｄ入力ポート４は第１消去電圧Ｖsetを、Ａ／Ｄ入力ポート５は第２消去電圧Ｖeを、Ａ／Ｄ入力ポート６はスキャン電圧Ｖscanを、それぞれにＡ／Ｄ変換した上でマイコン６０に入力させる。
なお、各Ａ／Ｄ入力ポート１〜６には各生成回路５２〜５４からの各出力電圧がそのままのレベルで入力されるのではなく、各生成回路５２〜５４からの出力電圧を図示しない分割用抵抗で分圧してそのレベルを低下させた後の電圧が入力される。
【００２８】
整流回路５１の前段には、リレー回路５５が搭載されている。つまり、マイコン６０がポートＰＷ１から出力する切替信号によってこのリレー回路５５におけるスイッチをオン／オフすることにより、主電源の供給をオン／オフする。具体的には、リレー回路５５のリレーコイルを駆動するためのスイッチング動作用のトレンジスタＴｒ１をマイコン６０とリレー回路５５間に配置するとともに、トランジスタＴｒ１に上記切替信号を印加するようにしており、同切替信号がハイ（Ｈ）レベルとなればリレー回路５５のスイッチはオンとなって主電源の供給が行われ、同切替信号がロー（Ｌ）レベルとなればリレー回路５５のスイッチはオフとなって主電源の供給が遮断される。ただし、リレー回路５５においては、上記スイッチとは別に電源の入力側と出力側とを抵抗Ｒ１を介して接続しており、かかる接続により上記スイッチがオフとなっている場合でも、マイコン６０には一定レベルのスタンバイ用の電源電圧が供給されるようになっている。当該スタンバイ用の電源電圧は、スタンバイ電圧生成回路５４を介してマイコン６０に供給される。
【００２９】
（３）電源制御処理の内容
上述した構成において、マイコン６０は次に述べるような電源制御処理を実行する。図４は、マイコン６０が実行する電源制御処理の内容をフローチャートにより示している。  先ずステップＳ（以下、ステップの記載を省略。）１００では、マイコン６０は、主電源がオン状態であるか否か判断する。つまりマイコン６０は、スタンバイ状態において、ユーザによる主電源スイッチの押し動作やリモコン送信機を介しての主電源の入力指示を監視している。そして、監視を続けた結果、上記押し動作または入力指示を検知した場合に、Ｈレベルの切替信号をポートＰＷ１から出力してリレー回路５５のスイッチをオンにさせ、主電源がオン状態であると判断する。
【００３０】
主電源がオン状態であると判断したら、マイコン６０はその後、一定の非検査期間（例えば、３００ｍｓｅｃ）が経過したか否か判断し（Ｓ１１０）、経過したと判断した場合には各Ａ／Ｄ入力ポート１〜６からそれぞれ入力される電圧レベルを検査する（Ｓ１２０）。ここで、非検査期間を設けたのは、主電源をオン状態とした後に各生成回路５２〜５４からの出力電圧が安定するまで待つためである。
【００３１】
上記検査では、マイコン６０は、各Ａ／Ｄ入力ポート１〜６から入力される電圧値毎に、その値が正常な範囲に収まるものであるか否かそれぞれ判断する。正常な範囲の定義はマイコン６０が各Ａ／Ｄ入力ポート１〜６の電圧毎に予めデータとして備えており、一例として、あるＡ／Ｄ入力ポートから入力される電圧値が、２，５±１Ｖの範囲に収まる場合には正常と判断し、この範囲外であれば異常値と判断する。なお、１つのＡ／Ｄ入力ポートから入力される電圧値に対する検査は、所定期間（例えば、１５０ｍｓｅｃ）継続して行い、この期間において上記範囲を外れることがあれば、そのＡ／Ｄ入力ポートから入力されている電圧値は異常値であると判断する。
【００３２】
Ｓ１３０においては、マイコン６０は、上記Ｓ１２０での検査の結果、Ａ／Ｄ入力ポート１〜６のいずれかにおいて入力電圧に異常値が存在したか否か判断し、異常値が存在した場合には、Ｓ１４０において、その異常値がサステイン電圧Ｖsusまたはアドレス電圧addであるか否か判断する。つまり、異常値と判断された電圧値が、Ａ／Ｄ入力ポート２またはＡ／Ｄ入力ポート３を介して取得したものである場合には“Ｙｅｓ”と判断し、Ｓ１５０に進む。一方、異常値と判断された電圧値が、検査用電圧Ｖsamp、第１消去電圧Ｖset、第２消去電圧Ｖe、スキャン電圧Ｖscanのいずれか、すなわちＡ／Ｄ入力ポート１，４〜６のいずれかを介して取得したものである場合にはＳ１４０にて“Ｎｏ”と判断し、Ｓ２００に進む。
【００３３】
なお、Ｓ１３０において、いずれのＡ／Ｄ入力ポートからも異常値を検知しないと判断した場合は、主電源のオン状態を維持する（Ｓ２６０）。
Ｓ１４０の分岐で“Ｙｅｓ”の判断を行った後の処理について説明する。
Ｓ１５０では、マイコン６０は、ポートＰＷ１からＬレベルの切替信号を送信してリレー回路５５のスイッチをオフにさせることにより、主電源の供給をオフ状態とさせる。つまり、サステイン電圧Ｖsusまたはアドレス電Ｖaddがなんらかの原因によって異常値となっているため、一旦、主電源をオフとする。
【００３４】
Ｓ１６０では、マイコン６０は、主電源をオフとしてから所定期間（１〜２秒の範囲に含まれる期間。本実施形態では２，０秒とする。）が経過したか否か判断し、同所定期間が経過したと判断した場合には、Ｓ１７０において、ポートＰＷ１からＨレベルの切替信号を送信してリレー回路５５のスイッチをオンにさせることにより、再度主電源をオン状態にさせる。つまり、上記異常値の発生が、一時的なノイズの流入による可能性もあるため、再度検査を行うために主電源をオンにする。
再び主電源をオンとすることで、マイコン６０は各Ａ／Ｄ入力ポート１〜６から電圧値を入力可能な状態となる。そこでＳ１８０では、マイコン６０は、再度Ａ／Ｄ入力ポートを介して入力される電圧レベルを検査する（Ｓ１８０）。
【００３５】
マイコン６０は、Ｓ１８０での再検査の結果、Ａ／Ｄ入力ポートからの入力電圧について異常値が検知されたか否か判断する（Ｓ１９０）。そして、既に一度異常値が検知されているＡ／Ｄ入力ポートから再び異常値が検知された場合にはＳ２７０に進む。
ここでは、Ｓ１２０の検査の結果において、Ａ／Ｄ入力ポート２から入力されたサステイン電圧Ｖsusまたは、Ａ／Ｄ入力ポート３から入力されたアドレス電圧Ｖaddについて既に一度異常値を検知している。そのため、マイコン６０は、Ｓ１９０でも同じＡ／Ｄ入力ポートから入力された電圧が連続して異常値である場合にＳ２７０に進み、ポートＰＷ１からＬレベルの切替信号を送信してリレー回路５５のスイッチをオフにさせることにより、主電源の供給をオフ状態とさせる。
【００３６】
すなわち、サステイン電圧Ｖsus生成回路５２またはアドレス電圧Ｖadd生成回路５３が誤動作していて、その結果サステイン電圧Ｖsusまたはアドレス電圧Ｖaddが異常値となっている場合には、かかる異常値が出力され続けるＰＤＰ４０における負担が大きく、同ＰＤＰ４０の故障の原因となりやすい。そこで、本実施形態では、サステイン電圧Ｖsusまたはアドレス電圧Ｖaddについては、Ｓ１２０とＳ１８０の検査の結果、２回連続して異常値が検知されたら、ノイズの流入による一時的な異常値である可能性は残るものの、上記故障のリスクを考慮してそれ以上の検査の繰り返しは行わずに、主電源のオフ状態を維持する。
【００３７】
Ｓ２７０以降においては、ユーザによる主電源スイッチの押し動作やリモコン送信機を介しての主電源の入力指示が再びなされない限り、主電源はオン状態とはならない。
一方、Ｓ１９０において、いずれのＡ／Ｄ入力ポートからも異常値が検知されなかった場合には、マイコン６０は主電源のオン状態をそのまま維持する。つまり、Ｓ１２０の検査において一度はサステイン電圧Ｖsusまたはアドレス電圧Ｖaddについて異常値を検知したものの、再度の検査では異常値は検知されなかったため、単なるノイズの流入による一時的な異常値と判断し、以後、主電源のオン状態を維持する。
【００３８】
次に、Ｓ１４０の分岐で“Ｎｏ”の判断を行った後の処理について説明する。
マイコン６０は、Ｓ２００〜Ｓ２３０においては、Ｓ１５０〜Ｓ１８０と同様の処理を実行する。ここでは、Ｓ１２０の検査の結果において、Ａ／Ｄ入力ポート１，４〜６のいずれかで入力した電圧について一度異常値を検知している。
そこでマイコン６０は、Ｓ２４０において、Ｓ２３０での再検査の結果、Ａ／Ｄ入力ポートを介しての入力電圧について異常値が検知されたか否か判断する。そして、前回の検査にて異常値が検知されたＡ／Ｄ入力ポートと同じＡ／Ｄ入力ポートから入力された電圧が連続して異常値である場合には、Ｓ２５０に進む。
一方、いずれのＡ／Ｄ入力ポートからも異常値が検知されない場合は、Ｓ２６０に進み、主電源のオン状態を維持する。
【００３９】
Ｓ２５０においては、マイコン６０は、あるＡ／Ｄ入力ポートから入力される電圧について連続して異常値と検知した回数が、予め設定した異常検知回数Ｎに達したか否か判断する。異常検知回数Ｎとは、あるＡ／Ｄ入力ポートから入力される電圧を生成する回路あるいは電圧の生成に影響を与える回路が誤動作を生じていると判断するための目安となる異常値の検知回数であり、各Ａ／Ｄ入力ポートから入力する電圧毎にそれぞれ異なる値を設定可能である。本実施形態では、Ａ／Ｄ入力ポート１，４〜６については共通して３回という回数を設定している。なお、Ｓ１２０での検査による異常値の検知も１回に数えるものとする。
【００４０】
Ｓ２５０にて、異常検知回数Ｎに達していないと判断した場合は、Ｓ２００の処理に戻り、さらに、主電源のオフ及びオン、そして再検査、という処理を繰り返す。
一方、例えば、Ａ／Ｄ入力ポート１から入力される電圧が３回連続して異常値である場合（Ｓ１２０の１回目の検査とＳ２３０の２回の再検査の全てにおいて、Ａ／Ｄ入力ポート１から入力される電圧が異常値である場合）には、マイコン６０は、それ以上の再検査を行うことなくＳ２７０に進み、ポートＰＷ１からＬレベルの切替信号を送信してリレー回路５５のスイッチをオフにさせることにより、主電源の供給をオフ状態とさせる。
【００４１】
すなわち、検査用電圧Ｖsamp、第１消去電圧Ｖset、第２消去電圧Ｖe、スキャン電圧Ｖscanについては、Ｓ１２０とＳ２３０の検査の結果、同じものについて３回連続して異常値が検知された場合、主電源をオフとした後、同オフ状態を維持する。
整流回路５１またはスタンバイ電圧生成回路５４が誤動作していて、その結果、検査用電圧Ｖsampまたは第１消去電圧Ｖsetまたは第２消去電圧Ｖeまたはスキャン電圧Ｖscanが異常値となっている場合であっても、サステイン電圧Ｖsus生成回路５２やアドレス電圧Ｖadd生成回路５３が誤動作している場合と比較して、ＰＤＰ４０にかかる負担は小さくＰＤＰ４０の故障の直接の原因にもなりにくい。
【００４２】
そこで、本実施形態では、検査用電圧Ｖsamp、第１消去電圧Ｖset、第２消去電圧Ｖe、スキャン電圧Ｖscanについては、サステイン電圧Ｖsus、アドレス電圧Ｖaddよりも多い回数の異常値が検知があった場合に、主電源をオフとしてこの状態を維持する。その結果、ノイズの流入による一時的な異常値であるにもかかわらず主電源のオフ状態を維持してしまうということが有効に防止できる。
【００４３】
なお、サステイン電圧Ｖsusまたはアドレス電圧Ｖaddについて異常値を検知した場合の処理の説明においては、異常検知回数Ｎなる言葉をあえて用いなかった。しかし、本実施形態では、サステイン電圧Ｖsusまたはアドレス電圧Ｖaddについて、Ｓ１２０とＳ１８０の検査結果において同じものについて２回連続で異常値を検知した場合には、主電源をオフとして以後この状態を維持するため、サステイン電圧Ｖsusおよびアドレス電圧Ｖaddの異常検知回数Ｎは２回ということになる。よって、実際にはマイコン６０は、このような各Ａ／Ｄ入力ポート１〜６から入力する電圧毎の異常検知回数Ｎを予め所定の記憶領域に記憶しておき、各ポートの番号と回数Ｎとの対応関係に応じて、再検査の回数や要否を判断する。
【００４４】
また稀ではあるが、Ｓ１８０での検査において、直近の検査（Ｓ１２０での検査）で異常値が検知されたＡ／Ｄ入力ポートとは別のＡ／Ｄ入力ポートから異常値が検知されたり、Ｓ２３０での検査において、直近の検査（Ｓ１２０での検査または前回のＳ２３０での検査）で異常値が検知されたＡ／Ｄ入力ポートとは別のＡ／Ｄ入力ポートから異常値が検知されることがある。このような場合には、当該別のＡ／Ｄ入力ポートから入力される電圧について１回目の異常値が検知されたものと判断し、Ｓ１４０の処理に進むとしてもよい。
【００４５】
（４）まとめ
このように本発明においては、サステイン電圧Ｖsus生成回路５２、アドレス電圧Ｖadd生成回路５３、スタンバイ電圧生成回路５４から出力される各種電圧をマイコン６０の各Ａ／Ｄ入力ポート１〜６から入力し、入力した各電圧について異常値であるか否かの検査を行い、異常値である場合には主電源をオフおよびオンして再度検査を行い、ある電圧についての異常値の検知回数が予め設定した異常検知回数Ｎに達した場合に、以後、主電源のオフ状態を維持するとした。
【００４６】
そして、対応する回路が誤動作を生じて異常値となっている場合にはＰＤＰ４０の故障の大きな原因となるサステイン電圧Ｖsusおよびアドレス電圧Ｖaddについては、異常検知回数Ｎを少なく設定することにより、すばやく主電源をオフ状態に維持するようにし、反対に、対応する回路が誤動作を生じて異常値となっていてもＰＤＰ４０を直ちに故障させるとは言い難い検査用電圧Ｖsamp、第１消去電圧Ｖset、第２消去電圧Ｖe、スキャン電圧Ｖscanについては、サステイン電圧Ｖsusおよびアドレス電圧Ｖaddよりも異常検知回数Ｎを多い回数に設定し、回路の誤動作かノイズの一時的な流入かの判断をより慎重にするとした。その結果、ＰＤＰ４０の故障の防止と、不要な場面での主電源遮断維持の回避とを両立することができる。
【図面の簡単な説明】
【００４７】
【図１】プラズマテレビジョンの概略構成を示したブロック図。
【図２】電源回路等の構成を示したブロック図。
【図３】サステイン電圧生成回路の内部構造を示した図。
【図４】電源制御処理の内容を示したフローチャート。
【符号の説明】
【００４８】
１０…チューナ回路
２０…映像処理回路
３０…パネル駆動回路
４０…ＰＤＰ
５０…電源回路
５１…整流回路
５２…サステイン電圧生成回路
５２ａ…トランス
５３…アドレス電圧生成回路
５４…スタンバイ電圧生成回路
５５…リレー回路
６０…マイコン
１００…プラズマテレビジョン
【図１】
2007174508.tif 000003
【図２】
2007174508.tif 000004
【図３】
2007174508.tif 000005
【図４】
2007174508.tif 000006